(57)【要約】【課題】極めて簡単に支持金具を装着でき、支持金具を所望の取付け状態のまま安定的に維持でき、養生ネット等を簡単に且つ安定的に支持でき、より安全で能率の良い作業が実現でき、高所での作業者の負担も軽減でき、構成が簡素で、堅牢で、耐久性に優れ、取扱いが容易で、量産に適し、低廉で、経済的な養生ネット等の支持装置を提供する。【解決手段】仮設足場の支柱パイプＢは、パイプ本体６と差込カップ７とを有し、差込カップ７には、差込楔片１１が差込装着可能で、パイプ本体６に外装可能な筒基体１と、掛止フック３とを有する支持金具Ａを形成し、筒基体１の下部には、差込カップ７の幅或いは差込楔片１１の基端部分の幅より稍大きく、下向きに開口する切欠溝２を切欠し、切欠溝２には、少なくとも差込カップ７の一部或いは差込楔片１１の基端部分の一部が収まり、掛止フック３は、養生ネット１５の掛止リング１６を掛止可能となるよう形成する。【選択図】図１
0003118179.tif 000002
【実用新案登録請求の範囲】
【請求項１】
建築現場に於いて仮設足場に養生ネット等を装着、支持するための支持装置であって、仮設足場の支柱パイプは、パイプ本体と、このパイプ本体に溶着される差込カップとを有し、この差込カップには、手摺やブラケットや連結杆等の適宜取付部材の端部に配した差込楔片が差込装着可能となるよう形成され、支柱パイプのパイプ本体に外装可能となる略短円筒状の筒基体と、この筒基体の外周面に固着される適数の掛止フックとを有する支持金具を形成し、この支持金具の筒基体の下部には、差込カップの幅或いは差込楔片の基端部分の幅より稍大きく形成されると共に、下向きに開口している切欠溝を切欠し、この切欠溝は、少なくとも差込カップの一部或いは差込楔片の基端部分の一部が収まるように形成され、前記掛止フックには、養生ネット等の掛止リングが掛止可能となるように形成したことを特徴とする養生ネット等の支持装置。
【請求項２】
前記掛止フックは、支持金具の筒基体の外周面に沿うような円周方向に於いて、９０度或いは１８０度単位で隔てられた位置に複数配されるよう形成したことを特徴とする請求項１記載の養生ネット等の支持装置。
【考案の詳細な説明】
【技術分野】
【０００１】
本考案は、主に、建築現場に於いて仮設足場等の支柱パイプに養生ネット（或いは、養生シート、養生パネル、その他）等を装着、支持するための支持装置に係り、支柱パイプの上端部分に工具等を利用することなく極めて簡単にセットできると共に、養生ネット等を簡単に且つ安定的に支持でき、しかも、構成が簡素で、耐久性に優れ、取扱いが容易で、量産に適し、低廉で、経済的となるように工夫した養生ネット等の支持装置に関するものである。
【背景技術】
【０００２】
従来、この種の養生ネット等の支持装置としては種々のものが提供・提案されており、例えば、特許文献１に示すように、クランプ金具のクランプ本体部分に略Ｌ字状のフックを固着して形成されたものが数多く利用されている。これは、クランプ金具を支柱パイプ等に固定し、フックに養生ネットの掛止リングを掛止させて支持できるようにしたものである。
【０００３】
また、特許文献２に示すような足場用保護シートの取付具が提案されている。これは、足場パイプに、左右に隣接する保護シートを取付けるための取付具であって、取付具が、足場パイプの外周面に沿うように屈曲し、隣接する保護シートの鳩目金具に挿通される本体枠と、本体枠の両端に設けた一対の第１・第２掛止部間に掛け渡されて、本体枠を足場パイプに外接固定する伸縮可能な締具とで構成されたものである。
【０００４】
【特許文献１】実用新案登録第２５５１２５１号公報
【特許文献２】特開平８−１２８２０８号公報
【考案の開示】
【考案が解決しようとする課題】
【０００５】
ところが、前者のようなクランプ金具を利用した場合は、クランプ金具を支柱パイプに固定するのに工具（スパナやナット回し等）が必要となる難点や、クランプ金具を支えながら工具でナットを締付けなければならない難点や、複数のクランプ金具の取付け向きや取付け高さ等を揃えるのが難しい難点や、能率的な作業が行い難い難点等があった。しかも、ナットの締付けが不充分だと、重力や養生ネットの重さ等によって、クランプ金具の支柱パイプへの取付位置がズレたり、クランプ金具が支柱パイプに対して旋回向きに回ってしまう等の虞れがあり、クランプ金具を所望の取付け状態で維持し難い難点があった。特に、これらの作業を高所で行う場合は、工具や、クランプ金具自体の落下防止等にも気を配る必要があり、作業者の精神的な負担が大きい等の問題点もあった。
【０００６】
また、後者のような取付具を利用した場合は、本体枠の両端部分に締具を掛け渡すように装着する作業が簡単に行い難い難点があり、しかも、本体枠の両端部分を保護シートの鳩目金具に予め挿通させておいてから締具を装着するため、その装着作業がより難しく、能率的な作業が行い難い難点等があった。更に、足場パイプを確実に締付けるようにならないと、重力や養生ネットの重さ等によって、取付具の足場パイプへの取付位置がズレたり、取付具が足場パイプに対して旋回向きに回ってしまう等の虞れがあり、取付具を所望の取付け状態で維持し難い難点があった。特に、これらの作業を高所で行う場合は、取付具や保護シートの落下防止等にも気を配る必要があり、作業者の精神的な負担が大きい等の問題点もあった。
【０００７】
そこで、本考案は、前述の如き難点等を解消できるようにして、仮設足場等の支柱パイプの上端部分に工具等を利用することなく極めて簡単にセットでき、更に、支持金具を所望の取付け状態のまま安定的に維持でき、養生ネット等を簡単に且つ安定的に支持でき、しかも、構成が簡素で、耐久性に優れ、取扱いが容易で、量産に適し、低廉で、経済的で、より安全で能率の良い作業が実現できて、作業者の負担も軽減できるようにすべく案出されたものである。
【課題を解決するための手段】
【０００８】
しかして、前述の如き課題等を達成すべく、請求項１記載の養生ネット１５等の支持装置にあっては、建築現場に於いて仮設足場に養生ネット１５等を装着、支持するための支持装置であって、仮設足場の支柱パイプＢは、パイプ本体６と、このパイプ本体６に溶着される差込カップ７とを有し、この差込カップ７には、手摺やブラケットや連結杆等の適宜取付部材Ｃの端部に配した差込楔片１１が差込装着可能となるよう形成され、支柱パイプＢのパイプ本体６に外装可能となる略短円筒状の筒基体１と、この筒基体１の外周面に固着される適数の掛止フック３とを有する支持金具Ａを形成し、この支持金具Ａの筒基体１の下部には、差込カップ７の幅或いは差込楔片１１の基端部分の幅より稍大きく形成されると共に、下向きに開口している切欠溝２を切欠し、この切欠溝２は、少なくとも差込カップ７の一部或いは差込楔片１１の基端部分の一部が収まるように形成され、前記掛止フック３には、養生ネット１５等の掛止リング１６が掛止可能となるように形成する手段を採用した。
【０００９】
また、請求項２記載の養生ネット１５等の支持装置にあっては、前記掛止フック３は、支持金具Ａの筒基体１の外周面に沿うような円周方向に於いて、９０度或いは１８０度単位で隔てられた位置に複数配されるよう形成する手段を採用した。
【考案の効果】
【００１０】
従って、請求項１の支持装置によれば、仮設足場等の支柱パイプＢの上端部分から支持金具Ａを差込むようにするだけで、工具等を利用することなく極めて簡単に支持金具Ａを装着でき、更に、少なくとも差込カップ７の一部或いは差込楔片１１の基端部分の一部が、切欠溝２に収まるようにするだけで、支持金具Ａを所望の取付け状態のまま安定的に維持できるようになる。ひいては、養生ネット１５等を簡単に且つ安定的に支持できるようになり、より安全で能率の良い作業が実現でき、高所での作業者の負担も軽減できるようになる。
しかも、支持装置自体の構成が簡素となり、堅牢で、耐久性に優れ、取扱いが容易となり、量産に適し、低廉で、経済的な支持装置となる。
【００１１】
また、請求項２の支持装置によれば、一つの支持金具Ａに対して、複数の養生ネット１５をあらゆる方向に沿うように掛止させることができるようになる。特に、二枚の養生ネット１５を平面から見て略直角状となるように配したり、平面から見て略直線状となるように配したりでき、より使い勝手の優れた支持装置となる。
【考案を実施するための最良の形態】
【００１２】
以下、本考案を説明すると、次の通りである。
本考案は、主に、建築現場に於いて仮設足場等の支柱パイプＢに養生ネット１５（或いは、養生シート、養生パネル、その他）等を装着、支持するための支持装置である。
具体的には、先ず、略短円筒状の筒基体１と、この筒基体１の外周面に固着される複数の掛止フック３とを有する支持金具Ａを形成する。
そして、筒基体１は、手摺やブラケット等の適宜取付部材Ｃの差込楔片１１が差込装着可能となる差込カップ７を備えた支柱パイプＢのパイプ本体６に外装可能となるよう形成されている。すなわち、支柱パイプＢ（パイプ本体６）の上端部分から支持金具Ａを差込む（筒基体１をパイプ本体６に外装させる）だけで、支柱パイプＢに支持金具Ａを簡単に装着できるように形成されている。
更に、支持金具Ａの筒基体１の下部には、切欠溝２を切欠する。
しかも、この切欠溝２は、差込カップ７の幅或いは取付部材Ｃの端部の幅より稍大きく形成すると共に、少なくとも差込カップ７の一部或いは取付部材Ｃの端部の一部が収容できるよう形成する。すなわち、支持金具Ａを所望の取付け状態のまま安定的に維持できるように形成してある。
加えて、掛止フック３は、養生ネット１５等の掛止リング１６が掛止可能となるように形成する。すなわち、掛止リング１６を簡単に、確実に、且つ安定的に掛止できるように形成されている。
【００１３】
また、前記掛止フック３は、支持金具Ａの筒基体１の外周面に沿うような円周方向に於いて、９０度或いは１８０度単位で隔てられた位置に配されるように形成する。すなわち、一つの支持金具Ａに対して、複数の養生ネット１５をあらゆる方向に沿うように掛止できるように形成されている。特に、二枚の養生ネット１５を平面から見て略直角状となるように配することができるように形成したり、平面から見て略直線状となるように配することができるように形成したり、より使い勝手の優れた支持装置となるように形成されている。
【実施例】
【００１４】
前記支持金具Ａは、例えば、略短円筒状で適宜金属製の筒基体１と、この筒基体１の下部寄り外表面に溶着される適数（例えば、一個〜三個で、これ以上でも良い）の適宜金属製の掛止フック３とで構成されている。しかも、筒基体１の下部には、略矩形状の切欠溝２が適数（一個或いは二個）切欠されている。
【００１５】
前記筒基体１は、例えば、その内径が支柱パイプＢのパイプ本体６の外径より僅かに大きく設定されて、パイプ本体６にスムーズに外装できるように形成されている。
【００１６】
前記切欠溝２は、例えば、その上端縁が、差込カップ７やこの差込カップ７に差込装着されている取付部材Ｃの差込楔片１１の基端部分に接触するように形成されており、上端縁が接触したときに、支持金具Ａの下方への移動を阻止できるように形成されている。更に、切欠溝２の左右側縁は、例えば、略平行に形成されており、しかも、差込カップ７の幅（或いは、差込楔片１１の基端部分の幅）よりも僅かに大きくなるように形成されており、この左右側縁部分が差込カップ７（或いは、差込楔片１１）に接触することで、それ以上の旋回を阻止できるように形成されている。尚、切欠溝２の深さは、少なくとも差込カップ７の一部（或いは取付部材Ｃの端部の一部）が収まるような長さで良く、支持金具Ａの旋回を確実に阻止できると共に、収まっている状態が不意の外力等によって簡単に解除されないように形成されたものであれば良い。
更に、切欠溝２は図示例のように一つ設けたものであっても良いし、或いは、対向するように二つ設けたものであっても良い。
【００１７】
前記掛止フック３は、例えば、金属細長丸棒を適宜折曲形成して形成されており、平面略コ字状のフック基部４と、このフック基部４の両端部分から上方に向って突出するように連設される左右立上部５とからなり、フック基部４は、筒基体１外表面に溶着されている。
尚、掛止フック３は、前記切欠溝２の配設位置を基準にして、平面から見て支持金具Ａの外周方向に沿って９０度単位で隔てられるように配置したり、或いは、１８０度単位で隔てられるように配置したりする。すなわち、切欠溝２がわには設けられていない。また、掛止フック３夫々の高さ方向に於ける取付け位置は、隣設する掛止フック３が干渉しないように上下方向でズラすように形成してある。
【００１８】
前記支柱パイプＢは、例えば、略長尺円筒状で適宜金属製のパイプ本体６と、このパイプ本体６の外表面の適宜位置に溶着される複数の適宜金属製の差込カップ７とで構成されている。尚、差込カップ７は、例えば、平面から見てパイプ本体６の外周方向に沿って９０度間隔で配置したり、或いは、このうちの幾つかを省くようにして配置したりして形成されている。しかも、差込カップ７夫々の高さ方向に於ける取付け位置は、上下方向で適宜ズラすように配してある。
【００１９】
前記取付部材Ｃとしては、例えば、手摺や、ブラケットや、連結杆等があり、少なくとも略長尺円筒状で適宜金属製の横架材１０と、この横架材１０の端部に溶着される適宜金属製の差込楔片１１とを備えたものである。そして、差込楔片１１は、その基端部分が横架材１０端部に外嵌するような略カップ状を呈し、その他が差込カップ７に差込装着可能となるような楔状となるように形成されているものである。
【００２０】
前記養生ネット１５は、例えば、その周縁部分に適宜間隔で略ハトメ状の掛止リング１６が設けられたものが利用される。尚、本考案の支持装置にあっては、養生ネット１５の他に、養生シートや、養生パネルや、その他のもの等も利用できる。
【００２１】
ところで、支持装置の具体的構成、形状、寸法、材質、支持金具Ａの具体的構成、形状、寸法、材質、支柱パイプＢの具体的構成、形状、寸法、材質、取付部材Ｃの具体的構成、形状、寸法、材質、筒基体１の具体的構成、形状、寸法、材質、切欠溝２の具体的構成、形状、寸法、配設位置、数、掛止フック３の具体的構成、形状、寸法、材質、配設位置、数、フック基部４の具体的構成、形状、寸法、材質、立上部５の具体的構成、形状、寸法、材質、数、パイプ本体６の具体的構成、形状、寸法、材質、差込カップ７の具体的構成、形状、寸法、材質、配設位置、数、横架材１０の具体的構成、形状、寸法、材質、差込楔片１１の具体的構成、形状、寸法、材質、養生ネット１５の具体的構成、形状、寸法、材質、掛止リング１６の具体的構成、形状、寸法、材質、配設位置、数等は、図示例のもの等に限定されることなく適宜自由に設定、変更できるものである。
【図面の簡単な説明】
【００２２】
【図１】本考案を例示する一部を省略した分解斜視図である。
【図２】本考案を例示する一部を省略した一部切欠側面図である。
【図３】本考案を例示する一部を省略した一部切欠平面図である。
【符号の説明】
【００２３】
Ａ      支持金具
Ｂ      支柱パイプ
Ｃ      取付部材
１      筒基体
２      切欠溝
３      掛止フック
４      フック基部
５      立上部
６      パイプ本体
７      差込カップ
１０    横架材
１１    差込楔片
１５    養生ネット
１６    掛止リング
【図１】
0003118179.tif 000003
【図２】
0003118179.tif 000004
【図３】
0003118179.tif 000005